(57)【特許請求の範囲】
【請求項１】
払出を受けた遊技球を蓄え発射装置へ案内するための上皿と、前記上皿の余剰球を蓄える下皿とを前側に備えるパチンコ機であって、
前記下皿の前端部を、前記上皿の前端部よりも前方に突出させ、
前記上皿に、前記下皿側へ遊技球を落下させるための誘導部を設け、
前記上皿の外縁に、遊技球の落下を防止し誘導する溝を形成し、該溝に設けた傾斜により前誘導部へ案内し、該誘導部から遊技球を前記下皿側へ落下させることを特徴とするパチンコ機。
【請求項２】
前記溝は、前記上皿の立壁よりも低い位置に形成され、該立壁の上端を乗り越えた遊技球を受け入れるように構成されていることを特徴とする請求項１のパチンコ機。
【請求項３】
前記誘導部は、前記溝に連通し、前下がり勾配の付けられた切り込み溝からなることを特徴とする請求項２のパチンコ機。
【発明の詳細な説明】
【０００１】
【発明の属する技術分野】
この発明は、遊技球の入賞に対して賞球を払い出すパチンコ機に関し、特に、払出を受けた遊技球を蓄え発射装置へ案内するための上皿と、余剰球を蓄える下皿とを備えるパチンコ機に関するものである。
【０００２】
【従来の技術】
パチンコ機では、遊技盤に設けられた入賞口への入賞により、賞球（遊技球）が上皿賞球排出口から払い出され、上皿に蓄えられる。上皿に蓄えられた遊技球は、発射装置へ案内され、遊技盤へ打ち出されるようになっている。賞球が払い出される際に、上皿に球が満杯になっていると、賞球はパチンコ機の内部側から下皿へ自動的に誘導されるように構成されている。
【０００３】
【発明が解決しようとする課題】
上皿の球貯留部は非常に浅く、貯留し得る遊技球の数は少なく、賞球の払い出しが途絶えると、瞬く間に上皿の球が欠乏することになる。このため、遊技者は、賞球の払い出しが続き、上皿の球貯留量が一杯になっても遊技を継続する傾向がある。これにより、上皿に球が山盛りとなって周りに零れ落ちることがある。
【０００４】
更に、上皿から下皿へ球を流下させる球抜きボタンを操作しないで、遊技者が上皿の球を掴み出そうとする場合、上述したように球が山盛りとなっていると、球に指を入れた際に周りの球を押し、上皿から球が溢れ、床へ落ちることがある。他方、入賞が途絶え下皿又は球箱から上皿へ球を移し替えようとした際に、誤って上皿から球を零してしまうこともあった。
【０００５】
係る課題に対応するため、上皿からの零れ球を防ごうとする技術が、例えば、特開２０００−３２５６２５号で提案されている。この技術では、下皿の前端部を上皿の前端部よりも前方に突出させることで、上皿からの零れ球を下皿で受ける構成になっている。しかしながら、上皿から溢れる球は、上皿の前方のみでなく側方からもこぼれ落ちるため、零れ球を全て下皿で受けることは出来なかった。更に、同公報の図２中に示されているように下皿を前方に突出させるのに伴い、灰皿も前方へ配置させるため、上皿からの零れ球が灰皿に入り込み易く、これによりタバコの灰で汚れる。灰で汚れた遊技球を遊技者が拾い出し、盤面へ発射すると、盤面が汚れると共に、盤面に取り付けられた各種スイッチ等に灰が付着し故障の原因となる。
【０００６】
本発明は、上述した課題を解決するためになされたものであり、その目的とするところは、上皿からの零れた遊技球をもれなく下皿へ誘導し得るパチンコ機を提供することにある。
【００１１】
【課題を解決するための手段】
請求項１は、払出を受けた遊技球を蓄え発射装置へ案内するための上皿と、前記上皿の余剰球を蓄える下皿とを前側に備えるパチンコ機であって、
前記下皿の前端部を、前記上皿の前端部よりも前方に突出させ、
前記上皿に、前記下皿側へ遊技球を落下させるための誘導部を設け、
前記上皿の外縁に、遊技球の落下を防止し誘導する溝を形成し、該溝に設けた傾斜により前記誘導部へ案内し、該誘導部から遊技球を前記下皿側へ落下させることを技術的特徴とする。
【００１２】
請求項１では、下皿の前端部を、上皿の前端部よりも前方に突出させてあるため、上皿の零れ球を下皿へ落下させることができる。ここで、上皿に、下皿側へ遊技球を落下させるための切れ込み、パイプ等の誘導部を設け、一方、上皿の外縁に、遊技球の落下を防止し誘導する溝を形成し、該溝に設けた傾斜により誘導部へ案内し、該誘導部から遊技球を下皿側へ落下させる。このため、上皿から零れる遊技球をもれなく下皿へ誘導することができる。
【００１３】
【発明の実施の形態】
以下、本発明のパチンコ機の実施形態について図を参照して説明する。
まず、第１実施形態のパチンコ機の主要構成について、本実施形態のパチンコ機を斜視図である図１及び正面図である図２を参照して説明する。
【００１４】
パチンコ機１０には、内枠１２が外枠１１に上下一対のヒンジ１４で開閉可能に備えられており、その内枠１２には、ガラス枠１６が開閉可能に取り付けられている。ガラス枠１６の上方には、前方への突出部１６ａが形成されている。ガラス枠１６の裏面側には、遊技盤１３が配置されている。ガラス枠１６の右側には、ガラス枠１６開閉用の鍵を差し込む鍵穴１５が設けられている。
【００１５】
ガラス枠１６の下には、前面板１８が設けられており、この前面板１８の左側上部には、賞球が導出される上皿賞球排出口１９が形成されており、この上皿賞球排出口１９の排出側には、その上皿賞球排出口１９から排出された賞球を溜めておくための上皿２０が取り付けられている。上皿２０の前面には、遊技球を貸し出すための貸球ボタン４７と、プリペイドカードを返却するための返却ボタン４６とが設けられている。上皿２０の下方には、その上皿２０で収容しきれなくなった賞球を排出するための下皿賞球排出口３１が形成されており、この下皿賞球排出口３１の排出側には、その下皿賞球排出口３１から排出された賞球を溜めておくための下皿３２が設けられている。下皿の底部には、図示しない球箱に遊技球を落とすための下皿球抜きレバー３３が設けられている。
【００１６】
下皿３２の右方には、上皿２０から供給された遊技球を遊技盤１３へ発射する発射モータ（図示せず）を操作するための発射ハンドル４３が、回転可能に取付けられており、その発射ハンドル４３には、発射途中で発射を停止するための発射停止ボタン４４（図２参照）が設けられている。また、上皿２０の右方には、上皿２０に溜められた賞球を下皿３２へ抜くための上皿球抜きレバー２８がスライド可能に取付けられている。
【００１７】
図３は、図１に示すパチンコ機の平面図であり、図４は側面図である。図４に示すように、上皿２０は、小判を半割した形状に構成され、底部２０ａと、立壁２０ｂとが形成されている。該底部２０ａは、立壁２０ｂの内周と前面板１８との間で球を貯留するための球貯留部を構成する。底部２０ａは、上皿賞球排出口の置かれる図３中の右側から発射モータの置かれる左側にかけて低くなるように傾斜が設けられ、また、上皿賞球排出口１９の置かれる右側の幅が広く、そして、発射モータの置かれる左側にかけて狭くなるように形成され、球詰まりさせずに発射モータ側へ球を送り得るようになっている。一方、立壁２０ｂの上端は、図２中に示すようにほぼ平坦になるように形成されている。
【００１８】
立壁２０ｂの上端の外縁（外周）には、上端よりも低い位置に溝２２が形成され、立壁２０ｂの上端を乗り越えた遊技球を受け得るように構成されている。該溝２２は、パチンコ機を正面から見た場合に、上縁の両端から、上皿の略中央位置に向かって下り勾配が付けられ、溝２２の下端は、上皿２０のほぼ中央位置に設けられた誘導部を構成する切り込み溝２４に連通している。該切り込み溝は、溝２２と同様に立壁２０ｂの一部として一体構成され、前下がり勾配が付けられている。本実施形態では、誘導部を切り込み溝２４で構成したが、パイプ等を用いることもできる。
【００１９】
下皿３２は、円弧状に形成され、底部３２ａと立壁２３ｂとが設けられている。底部３２ａは、立壁２３ｂの内周と上皿の立壁２０ｂの外周との間に球貯留部を形成する。下皿３２の左側には灰皿４５が設けられている。
【００２０】
下皿３２の前端部は、上皿２０の前端部よりも前方に突出するように形成されている。即ち、図中に示すように、下皿３２の立壁３２ｂの内周が、上皿２０の立壁２０ｂの前端の外周よりも距離Ｄ分、前方に位置するように構成されている。
【００２１】
引き続き、上皿２０からの零れ球の下皿３２への誘導について説明する。
大当たりの発生に伴い賞球の払い出しが続き、上皿の球貯留量が一杯になって、山盛りとなって上皿２０の上端から球が回りに零れ落ちた際に、零れ球は、上皿２０の上端の外縁に配置された溝２２へ転がり落ちる。溝２２に落ちた球は、溝２２の傾斜に沿って転がり、上皿２０の中央に形成された切り込み溝２４へ落下する。落下した球は、切り込み溝２４の傾斜に沿って前方へ転がり、下皿３２側へ落下する。
【００２２】
同様に、上皿２０から下皿３２へ球を流下させる球抜きレバー２８を操作しないで、遊技者が上皿の球を掴み出そうとする場合、球が山盛りとなっていると、球に指を入れた際に周りの球を押し、上皿２０の上端から球が溢れる。しかし、溢れた球は、上述したように溝２２−切り込み溝２４を介して下皿３２側へもれなく落下する。また、入賞が途絶え、遊技者が下皿３２又は球箱（図示せず）から上皿２０へ球を移し替えようとした際に、誤って上皿２０から球を零しても、もれなく下皿３２へ誘導させることができる。
【００２３】
第１実施形態では、上皿２０の前方のみならず側方から溢れた球を下皿３２へ誘導することができる。このため、上皿からの零れ球をホールの床、特に、灰皿４５へ落とすことがなくなる。このため、遊技者に損失を与えることなく、また、零れ球で他の遊技者に迷惑を掛けることがなくなる。更に、灰皿４５へ遊技球が落ち込むことがないので、灰で汚れた遊技球を盤面に発射することによるパチンコ機の故障を防ぐことができる。
【００２４】
また、第１実施形態では、上皿２０が下皿３２よりも後方へ引き込んでいるため、遊技者が球箱から下皿３２へ球を移し替える際にも、上皿２０が球箱に当たらず、上手く移し替えることができる。
【００２５】
図５を参照して本発明の第２実施形態に係るパチンコ機について説明する。
第２実施形態に係るパチンコ機は、上述した第１実施形態とほぼ同様であり、下皿３２の前端部を、上皿２０の前端部よりも前方に突出させ形成されている。但し、第１実施形態では、上皿２０の頂部の外周に溝を設けたが、第２実施形態では溝が省略され、上皿の頂部（上面）に誘導部として切り込み溝２４が直接設けられている。ここでは、誘導部として切り込み溝２４を用いたが、この代わりに、上皿の上部に上皿の内外を連通させるパイプを配置することもできる。
【００２６】
第２実施形態のパチンコ機では、下皿３２の前端部を、上皿２０の前端部よりも前方に突出させてあるため、上皿２０の零れ球を下皿へ落下させることができる。ここで、上皿２０の上面に、下皿３２側へ遊技球を落下させるための切り込み溝２４が設けてあるため、上皿２０から零れる遊技球をもれなく下皿３２へ誘導することができる。
【００２７】
なお、上述した第１実施形態では、溝２２を前方中央へ前傾させ、切り込み溝２４から下皿３２へ零れ球を落下させたが、例えば、溝を後方へ傾斜させることで零れ球を本体側へ誘導し、本体内部を通って下皿３２へ導くようにも構成できる。この場合には、下皿を上皿よりも前方へ突出させる必要がない。
【００３０】
【発明の効果】
本発明では、下皿の前端部を、上皿の前端部よりも前方に突出させてあるため、上皿の零れ球を下皿へ落下させることができる。ここで、上皿に、下皿側へ遊技球を落下させるための誘導部を設け、一方、上皿の外縁に、遊技球の落下を防止し誘導する溝を形成し、該溝に設けた傾斜により切り込みへ案内し、該誘導部から遊技球を下皿側へ落下させる。このため、上皿から零れる遊技球をもれなく下皿へ誘導することができる。
【図面の簡単な説明】
【図１】本発明の第１実施形態に係るパチンコ機の斜視図である。
【図２】図１に示すパチンコ機の正面図である。
【図３】図１に示すパチンコ機の平面図である。
【図４】図１に示すパチンコ機の側面図である。
【図５】第２実施形態に係るパチンコ機の正面図である。
【符号の説明】
１０  パチンコ機
１３  遊技盤
１９  上皿賞球排出口
２０  上皿
２０ａ  底部
２０ｂ  立壁
２２  溝
２４  切り込み溝
２８  球抜きレバー
３１  下皿賞球排出口
３２  下皿
３２ａ  底部
３２ｂ  立壁
【図１】
0003660281.tif 000002
【図２】
0003660281.tif 000003
【図３】
0003660281.tif 000004
【図４】
0003660281.tif 000005
【図５】
0003660281.tif 000006